(57)【要約】      （修正有）【課題】長時間使用したり、高齢者や病人が使用するに適した椅子に関するもので、特に、高齢者や病人が楽な姿勢で食事を楽しむことのできる椅子を提供する。【解決手段】本考案に係る椅子は、着座部５と、着座部の後部に設けられた背もたれとを備え、背もたれの背受け面は、着座部の後端部との間に空間１８をおいて着座部の上方に設けられるとともに、背もたれの背受け面の下向き延長線Ｌが床面Ｆに対する角度は、着座部に着座した人の尻１００の後側１００ａを延長線上に位置させやすい角度に設定されている椅子である。【選択図】図２（ｃ）
0003137036.tif 000002
【実用新案登録請求の範囲】
【請求項１】
着座部と、該着座部の後部に設けられた背もたれとを備え、該背もたれの背受け面は、前記着座部の後端部との間に空間をおいて該着座部の上方に設けられるとともに、該背もたれの背受け面の下向き延長線が床面に対する角度は、前記着座部に着座した人の尻の後側を前記延長線上に位置させやすい角度に設定されている、椅子。
【請求項２】
前記背もたれの背受け面の延長線と床面とが挟む角度が８２±１度に設定されている、請求項１に記載の椅子。
【請求項３】
前記着座部の左右側の少なくとも一方に設けられ、背面側から正面側に向かって下方に傾斜している横部材を備え、
前記横部材の前記正面側の先端部分は、前記着座部の着座面の高さと同等以下の高さである、請求項１又は２に記載の椅子。
【請求項４】
前記着座部の左右側の一方にのみ前記横部材が設けられており、
前記着座部の左右側の他方に、前記着座部よりも上方に設けられたひじ掛けを備えた、請求項３記載の椅子。
【請求項５】
前記着座部の左右側の少なくとも一方に設けられたひじ掛けを備え、
前記ひじ掛けは、その中間部に隆起部を有し、
前記隆起部から背面側に向かって下方に傾斜し、前記隆起部から正面側に向かって下方に傾斜している、請求項１又は２に記載の椅子。
【請求項６】
前記背もたれの背受け面が、凹状の湾曲面として形成されている請求項１乃至５のいずれかに記載の椅子。
【請求項７】
前記着座部の基枠に前後方向に並列に設けられた複数の第１のバネと、該複数の第１のバネに渡って交差するように左右方向に並列に設けられた複数の第２のバネとを備えたバネ材が設けられ、該基枠上に前記着座部のクッションが載置されている請求項１〜６のいずれかに記載の椅子。
【考案の詳細な説明】
【技術分野】
【０００１】
本考案は、椅子に関するものである。
【背景技術】
【０００２】
通常、食卓や勉強机等とともに使用される椅子は、人が着座する座面と、座面の後部に設けられた背もたれとを備えたものである。この種の椅子には、左右両側部にひじ掛けが設けられたものも多い。
【特許文献１】意匠登録第１２５５１２２号公報
【考案の開示】
【考案が解決しようとする課題】
【０００３】
従来の成人用の椅子には種々のものがあるが、一般的には、着座面が前後に長く、背もたれは上位が後部に位置するように比較的大きな角度で傾斜しているものが多い。
【０００４】
このような椅子に、人が着座した場合、着座した人の尻が、座面上で前にすべった状態となり、体幹や骨盤が後傾する傾向がある。
【０００５】
このように体幹や骨盤が後傾する傾向があるため、腰痛を有している人の場合、痛みのため長時間使用することが出来なかった。一方、このように姿勢が悪くなる傾向があるため、長時間の使用により腰痛を発症する場合もあった。このような腰痛軽減、腰痛予防にとって、正座に近い姿勢が最も腰に負担のかからない適した姿勢であることが一般的に知られている。
【０００６】
又、下肢や座面に対する頭頸部の位置が後ろにさがるため、例えば、介護老人や病人が着座して食事をとるには、適した椅子ではなかった。
【０００７】
本考案は、上記従来の椅子の課題を考慮し、腰に負担のかからない適正な姿勢（正座に近い姿勢）になりやすい椅子を提供することを目的とする。
【課題を解決するための手段】
【０００８】
上記目的を達成するために、第１の本考案は、
着座部と、該着座部の後部に設けられた背もたれとを備え、該背もたれの背受け面は、前記着座部の後端部との間に空間をおいて該着座部の上方に設けられるとともに、該背もたれの背受け面の下向き延長線が床面に対する角度は、前記着座部に着座した人の尻の後側を前記延長線上に位置させやすい角度に設定されている、椅子である。
【０００９】
又、第２の本考案は、
前記背もたれの背受け面の延長線と床面とが挟む角度が８２±１度に設定されている、第１の本考案の椅子である。
【００１０】
又、第３の本考案は、
前記着座部の左右側の少なくとも一方に設けられ、背面側から正面側に向かって下方に傾斜している横部材を備え、
前記横部材の前記正面側の先端部分は、前記着座部の着座面の高さと同等以下の高さである、第１又は２の本考案の椅子である。
【００１１】
又、第４の本考案は、
前記着座部の左右側の一方にのみ前記横部材が設けられており、
前記着座部の左右側の他方に、前記着座部よりも上方に設けられたひじ掛けを備えた、第３の本考案の椅子である。
【００１２】
又、第５の本考案は、
前記着座部の左右側の少なくとも一方に設けられたひじ掛けを備え、
前記ひじ掛けは、その中間部に隆起部を有し、
前記隆起部から背面側に向かって下方に傾斜し、前記隆起部から正面側に向かって下方に傾斜している、第１又は２の本考案の椅子である。
【００１３】
又、第６の本考案は、
前記背もたれの背受け面が、凹状の湾曲面として形成されている第１乃至５のいずれかの本考案の椅子である。
【００１４】
又、第７の本考案は、
前記着座部の基枠に前後方向に並列に設けられた複数の第１のバネと、該複数の第１のバネに渡って交差するように左右方向に並列に設けられた複数の第２のバネとを備えたバネ材が設けられ、該基枠上に前記着座部のクッションが載置されている第１〜６のいずれかの本考案の椅子である。
【考案の効果】
【００１５】
本考案によれば、腰に負担のかからない適正な姿勢（正座に近い姿勢）になりやすい椅子を提供することが出来る。
【考案を実施するための最良の形態】
【００１６】
以下、本考案の実施形態について図面を用いて具体的に説明する。
【００１７】
（実施の形態１）
図１は、本考案に係る実施の形態１の椅子の斜視図である。図２（ａ）は、本実施の形態１の椅子の平面図であり、図２（ｂ）は本実施の形態１の椅子の正面図である。図２（ｃ）は、本実施の形態１の椅子の右側面図であり、図２（ｄ）は左側面図である。又、図２（ｅ）は、本実施の形態１の椅子の背面図であり、図２（ｆ）は底面図である。図１及び図２（ａ）〜（ｆ）に示すように、椅子１は、前後左右の４本の脚２によって支持された着座部５と、該着座部５の後部上方に設けられた背もたれ７と、着座部５の左方向に設けられたひじ掛け１０と、着座部５の右方向に設けられた横部材１１とを備えている。
【００１８】
後側の一対の脚２は、高く伸びて背もたれ７を支持する支柱を兼ねている。また、前方の一対の脚２のうち、左側の脚２は、ひじ掛け１０と一体に構成されており、ひじ掛け１０の部分から、更に後方の左側の脚２の左方向の位置まで延びており、ネジ４０にて後方の左側の脚２と連結されている。更に、前方の一対の脚２のうち、右側の脚２は、横部材１１と一体に構成されており、横部材１１から更に後方の右側の脚２の右方向の位置まで延びており、ネジ４０によって後方の右側の脚２と連結されている。
【００１９】
さらに、上記前後の脚２と、左右の脚２は、それぞれ基枠を構成するほぼ水平な横長の部材８にネジ４１で固定されることによって互いに連結されている。これら脚２、部材８等は、木材によって制作されているが、木材に限らず、金属、プラスチック等、適度の強度を備えた材料で製作することができる。
【００２０】
図２（ｄ）に示すように、ひじ掛け１０は、前後中間部に隆起部１０ａがある側面視「へ」字状に形成されているので、ひじになじみやすく、長時間座っていてもひじが痛くなりにくい。さらに、このひじ掛け１０の前端部には、ネジ４２によって、前方に突出するグリップ１０ｂが設けられていて、これを握って下向きの力を加えることができるので、着座した人が立ち上がりやすい。
【００２１】
又、横部材１１は、その前側部分が下向きに傾斜して、その横部材１１の前部１１ａは着座面５ａよりも下側に下がっている。この前部１１ａは、本考案の正面側の先端部分の一例に相当する。また、横部材１１は、下向き凸状に湾曲して形成されている。このように、椅子のいずれか一方を横部材とし前側が低くなるように傾斜し、更に、下向き凸状に湾曲したものとしておけば、椅子から車椅子に移動する際等に椅子の横から着座するのが楽であるという利点がある。
【００２２】
また、横部材１１が存在することによって、ひじ掛け１０がない方向に転倒することを防ぐことが出来る。
【００２３】
図３は、本実施の形態１の椅子１の基枠（ベース）１２の平面図である。着座部５は、図３に示すような基枠（ベース）１２にクッション１３を取り付けて、ビニールレザー等の布をかぶせて構成されたもので、基枠１２は、木材で作られ、該基枠の内部にバネ材１４を張架している。尚、木材に限らず、プラスチック材料、金属等の剛性を有する材料で作られていてもよい。バネ材１４は、前後方向に並列に設けた複数の第１のＳバネ１４ａと、複数の第１のＳバネ１４ａ渡って交差する左右方向の複数の第２のＳバネ１４ｂとで構成されるので、着座面５ａにおいて前後左右に十分なクッション効果が発揮される。尚、図３では、図示していないが、第１のＳバネ１４ａと第２のＳバネ１４ｂの間に、布等を配置することによって、着座時にバネ同士がこすれて生じる音を軽減することが出来、更に、バネ同士の接触による摩耗も防ぐことが出来る。
【００２４】
なお、着座部５のクッション１３は、身体が沈み込まないようにある程度硬めに形成しておくのが好ましい。又、本発明の第１のバネ及び第２のバネの一例は、本実施の形態の第１のＳバネ１４ａ及び第２のＳバネ１４ｂに相当し、バネ材としてＳバネを用いているが、コイルスプリングであってもよく、更に、バネ材に限らずウェービングベルト等であってもよい。
【００２５】
背もたれ７は、適度の強度を備えた材料で作られた本体７ａを有しており、該本体７ａにウレタン等のクッションを巻き付け、更にビニールレザーで覆って構成されている。
【００２６】
尚、図２では、ビニールレザー及びクッションを取り除いた本体７ａが示されている。これは、後述する図６と図９も同様である。
【００２７】
背もたれ７の背受け面１７（図１、２参照）は、着座した人の背面が接する前面が凹になるように湾曲した形状に形成され、湾曲した前面が背受け部となっている。
【００２８】
背もたれ７は、上述のとおり支柱を兼ねた後側の脚２によって支持されているが、該背もたれ７の本体７ａの正面側の左右中心線の下向き延長線Ｌは、下方が前側に位置するように傾斜している。図２（ｃ）に示すように、この傾斜角（延長線Ｌと床面Ｆとが挟む角）αは、椅子１に着座した人の尻１００（図中鎖線参照）の後側１００ａを、延長線Ｌ上に位置させやすい角度に設定されており、８２度に設定されている。この角αは、８２±１度の範囲とするのが好ましい。傾斜角αがこれよりも大きいと、背もたれが垂直状態となるので、窮屈であり、これよりも小さいと、体幹が傾斜し過ぎるので、腰痛を有している人が長時間座り続けるにはつらく、又、食事等における前かがみ姿勢がとりにくくなる。
【００２９】
又、延長線Ｌと基枠１２とが挟む角βは、９６度に設定されており、この角βは、９６±１度の範囲とするのが好ましい。基枠１２は、椅子１の前方から後方に向けて低くなるように傾斜している。尚、この傾斜角は２度となる。
【００３０】
背もたれ７は、着座部５の上方に設けられているため、該背もたれ７と着座面５ａとの間には、空間１８が形成されている。また、前記背もたれ７の延長線Ｌは着座面５ａの後部を上下に通過するように設定されている。
【００３１】
さらに、この椅子１の着座部の前後方向の長さは、例えば約３８０ｍｍ〜約４２０ｍｍと比較的短く、左右幅も着座した人の両腕がひじ掛けに載る程度に比較的狭く形成されている。このため、正しい着座姿勢を維持するのが容易である。
【００３２】
この椅子１は、背もたれ７と着座面５ａとの間に空間１８があり、背もたれの前後傾斜角は比較的小さいので、着座した人の尻１００の後側１００ａが着座部の奥まで入り込むことができる。このため、尻が前側にずれて、膝が前方に突き出すような無理な姿勢となりにくい。また、着座した人の頭頸部が前に位置するので、背筋を伸ばした正座に近い姿勢で着座することができるので、腰痛等の軽減効果も期待できる。更に、食事等の際に前かがみの姿勢がとりやすいという効果も発揮できる。
【００３３】
以上に説明したように、この椅子１は、着座した人の身体がしっかりと保持され、背筋を伸ばした自然な姿勢をとることができるので、腰に負担のかからない、正座に近い姿勢を保持出来、長時間使用した場合であっても腰が痛くなりにくく、腰痛を軽減することが出来る。更に、従来の椅子では、食事がとりにくかったので、介護老人等がともすれば食事に意欲を持たなくなることがあったが、この椅子１を使用すれば、高齢者や病人が楽な姿勢で食事等を楽しむことができ、食事に対する意欲も増し、健康を維持するうえで好ましいものと考えられる。
【００３４】
尚、図２（ａ）〜（ｆ）からネジ４０、４１等の内部構造を除き、本体７ａを背もたれ７（図１参照）の状態とした、図１の椅子１の外観を表す６面図を、図４（ａ）〜（ｆ）に示す。
【００３５】
（実施の形態２）
次に、本考案にかかる実施の形態２における椅子について説明する。本実施の形態２における椅子は、実施の形態１と基本的な構成は同じであるが、ひじ掛け１０の代わりに横部材１１が設けられている点が異なっている。
【００３６】
図５は、本実施の形態２における椅子２０の斜視図である。図６（ａ）は、本実施の形態２の椅子２０の平面図であり、図６（ｂ）は椅子２０の正面図である。図６（ｃ）は、椅子２０の右側面図であり、図６（ｄ）は、椅子２０の左側面図である。図６（ｅ）は、椅子２０の背面図であり、図６（ｆ）は、椅子２０の底面図である。又、図６（ａ）〜（ｆ）からネジ４０、４１等の内部構造を除き、本体７ａを背もたれ７（図５参照）の状態とした、図５の椅子２０の外観を表す６面図を、図７（ａ）〜（ｆ）に示す。
【００３７】
本実施の形態２の椅子２０は、実施の形態１と異なり、左右双方に横部材１１が設けられている。このように、両側の横部材１１が、その前部１１ａが着座面５ａと同じ高さ又はそれよりも下側に位置するように、下向き凸形状に湾曲して前方に傾斜して形成されているため、椅子の左右いずれの側からも楽に着座することができる。更に、横部材１１を備えることにより、椅子に着座した人が左右に倒れることを防ぐことが出来る。
【００３８】
（実施の形態３）
次に、本考案にかかる実施の形態３における椅子について説明する。本実施の形態３における椅子は、実施の形態１と基本的な構成は同じであるが、横部材１１の代わりにひじ掛け１０が設けられている点が異なっている。
【００３９】
図８は、本実施の形態３における椅子３０の斜視図である。図９（ａ）は、本実施の形態３の椅子３０の平面図であり、図９（ｂ）は椅子３０の正面図である。図９（ｃ）は、椅子３０の右側面図であり、図９（ｄ）は、椅子３０の左側面図である。図９（ｅ）は、椅子３０の背面図であり、図９（ｆ）は、椅子３０の底面図である。
【００４０】
本実施の形態３の椅子３０は、実施の形態１と異なり、左右双方にひじ掛け１０が設けられている。このように、両側のひじ掛け１０の高さを通常の椅子におけるひじ掛けと同様に、着座した人がひじを載せるのに適した高さに形成しておけば、身体が左右両側のひじ掛けによって支持されるので、安定性にすぐれている。
【００４１】
以上のように、本考案に係る椅子は、着座した人の尻が背もたれの背受け面の下方延長線上にほぼ位置するように着座することができるもので、尻を座面の奥まで位置させることができるので、頭頸部が比較的前に位置した状態で、背筋を伸ばして着座することができる。このため、前屈みの姿勢をとることが容易であり、テーブルの高さを適当なものとすれば、楽な姿勢で食事をとることができる。また、この着座姿勢は、正座に近い姿勢であるため、腰痛の軽減効果も期待できる。なお、背受け面を前に凹の湾曲面として形成しておけば、着座した人の身体を椅子の中央部に位置させるうえで効果的である。
【００４２】
さらに、左右側部にひじ掛けを設けておけば、該ひじ掛けによっても身体を支持することができるので、着座時の身体が安定する。ひじ掛けは椅子の左右両側に設けておいてもよいが、これを片側だけに設けておくか、あるいはいずれか一方のひじ掛けを横部材として、その前部が着座面と同程度の高さになるよう前傾させて形成しておけば、着座時や椅子を離れる時にひじ掛けが邪魔にならないので動作が楽である。
【００４３】
尚、上記実施の形態における椅子は、ひじ掛け１０と一体した脚２と、横部材１１と一体化した脚２が着脱可能に構成されていても良い。この場合、以下の利点がある。
【００４４】
実施の形態２における椅子２０の前方の左右の脚２は、それぞれの横部材１１と一体化されており、実施の形態３における椅子３０の前方の左右の脚２は、それぞれのひじ掛け１０と一体化されている。そこで、例えば、椅子２０の前方の左側の脚２（横部材１１を含む）を、椅子３０の前方の左側の脚２（ひじ掛け１０を含む）と交換することによって、実施の形態１で説明した椅子１と、ひじ掛け１０と横部材１１の位置が椅子１と左右反対の椅子とが作成される。
【００４５】
このように、前方の脚２を着脱可能に構成すれば、椅子２０と椅子３０から、着座する人に適した椅子の形状に適宜変更することが出来るため、経済的である。
【産業上の利用可能性】
【００４６】
本考案の椅子は、腰に負担のかからない適正な姿勢（正座に近い姿勢）になりやすい効果を有し、例えば、腰痛軽減や腰痛予防に適し、又、高齢者や病人などが食事を行うのに適した椅子として有用である。
【図面の簡単な説明】
【００４７】
【図１】本考案に係る実施の形態１における椅子の外観斜視図
【図２（ａ）】本考案に係る実施の形態１における椅子の平面図
【図２（ｂ）】本考案に係る実施の形態１における椅子の正面図
【図２（ｃ）】本考案に係る実施の形態１における椅子の右側面図
【図２（ｄ）】本考案に係る実施の形態１における椅子の左側面図
【図２（ｅ）】本考案に係る実施の形態１における椅子の背面図
【図２（ｆ）】本考案に係る実施の形態１における椅子の底面図
【図３】本考案に係る実施の形態１における着座部のベースを表す平面図
【図４（ａ）】本考案に係る実施の形態２における椅子の外観の平面図
【図４（ｂ）】本考案に係る実施の形態２における椅子の外観の正面図
【図４（ｃ）】本考案に係る実施の形態２における椅子の外観の右側面図
【図４（ｄ）】本考案に係る実施の形態２における椅子の外観の左側面図
【図４（ｅ）】本考案に係る実施の形態２における椅子の外観の背面図
【図４（ｆ）】本考案に係る実施の形態２における椅子の外観の底面図
【図５】本考案に係る実施の形態２における椅子の外観斜視図
【図６（ａ）】本考案に係る実施の形態２における椅子の平面図
【図６（ｂ）】本考案に係る実施の形態２における椅子の正面図
【図６（ｃ）】本考案に係る実施の形態２における椅子の右側面図
【図６（ｄ）】本考案に係る実施の形態２における椅子の左側面図
【図６（ｅ）】本考案に係る実施の形態２における椅子の背面図
【図６（ｆ）】本考案に係る実施の形態２における椅子の底面図
【図７（ａ）】本考案に係る実施の形態２における椅子の外観の平面図
【図７（ｂ）】本考案に係る実施の形態２における椅子の外観の正面図
【図７（ｃ）】本考案に係る実施の形態２における椅子の外観の右側面図
【図７（ｄ）】本考案に係る実施の形態２における椅子の外観の左側面図
【図７（ｅ）】本考案に係る実施の形態２における椅子の外観の背面図
【図７（ｆ）】本考案に係る実施の形態２における椅子の外観の底面図
【図８】本考案に係る実施の形態３における椅子の外観斜視図
【図９（ａ）】本考案に係る実施の形態３における椅子の平面図
【図９（ｂ）】本考案に係る実施の形態３における椅子の正面図
【図９（ｃ）】本考案に係る実施の形態３における椅子の右側面図
【図９（ｄ）】本考案に係る実施の形態３における椅子の左側面図
【図９（ｅ）】本考案に係る実施の形態３における椅子の背面図
【図９（ｆ）】本考案に係る実施の形態３における椅子の底面図
【符号の説明】
【００４８】
１、２０、３０  椅子
２  脚
５  着座部
７  背もたれ
１０  ひじ掛け
１２  基枠
１３  クッション
１４  バネ材
１７  背受け面
１８  空間
【図１】
0003137036.tif 000003
【図２（ａ）】
0003137036.tif 000004
【図２（ｂ）】
0003137036.tif 000005
【図２（ｃ）】
0003137036.tif 000006
【図２（ｄ）】
0003137036.tif 000007
【図２（ｅ）】
0003137036.tif 000008
【図２（ｆ）】
0003137036.tif 000009
【図３】
0003137036.tif 000010
【図４（ａ）】
0003137036.tif 000011
【図４（ｂ）】
0003137036.tif 000012
【図４（ｃ）】
0003137036.tif 000013
【図４（ｄ）】
0003137036.tif 000014
【図４（ｅ）】
0003137036.tif 000015
【図４（ｆ）】
0003137036.tif 000016
【図５】
0003137036.tif 000017
【図６（ａ）】
0003137036.tif 000018
【図６（ｂ）】
0003137036.tif 000019
【図６（ｃ）】
0003137036.tif 000020
【図６（ｄ）】
0003137036.tif 000021
【図６（ｅ）】
0003137036.tif 000022
【図６（ｆ）】
0003137036.tif 000023
【図７（ａ）】
0003137036.tif 000024
【図７（ｂ）】
0003137036.tif 000025
【図７（ｃ）】
0003137036.tif 000026
【図７（ｄ）】
0003137036.tif 000027
【図７（ｅ）】
0003137036.tif 000028
【図７（ｆ）】
0003137036.tif 000029
【図８】
0003137036.tif 000030
【図９（ａ）】
0003137036.tif 000031
【図９（ｂ）】
0003137036.tif 000032
【図９（ｃ）】
0003137036.tif 000033
【図９（ｄ）】
0003137036.tif 000034
【図９（ｅ）】
0003137036.tif 000035
【図９（ｆ）】
0003137036.tif 000036